(57)【要約】【課題】  ＯＦＤＭ（直交周波数分割）方式によって送信された放送信号を受信してこれを復号する放送受信装置であって、受信エリアの拡大と、車載時の都市部での高速走行における受信性能の改善とを、容易に実現することができる放送受信装置を提供することである。【解決手段】  複数の受信手段によって受信された複数のＯＦＤＭ信号を処理して処理済ＯＦＤＭ信号を生成するベースバンド信号処理手段と、処理済ＯＦＤＭ信号を復調するＯＦＤＭ復調手段とを有する。さらに、ベースバンド信号処理手段において合成ダイバーシティ方式によって処理済ＯＦＤＭ信号を生成する合成ダイバーシティモードと、選択ダイバーシティ方式によって処理済ＯＦＤＭ信号を生成する選択ダイバーシティモードのいずれか一方を選択して切り換える制御手段を備える。【選択図】  図１
2007013558.tif 000002
【特許請求の範囲】
【請求項１】
外部からのＯＦＤＭ放送波を受信してＯＦＤＭ信号を生成する複数の受信手段と、
前記複数の受信手段によって受信された複数のＯＦＤＭ信号を処理して処理済ＯＦＤＭ信号を生成するベースバンド信号処理手段と、
前記処理済ＯＦＤＭ信号を復調するＯＦＤＭ復調手段と、
前記ベースバンド信号処理手段において、該複数のＯＦＤＭ信号から得られる複数のベースバンド信号を合成し、合成されたベースバンド信号から該処理済ＯＦＤＭ信号を生成する合成ダイバーシティモードと、該複数のＯＦＤＭ信号から得られる複数のベースバンド信号のうちのいずれか１つを選択してこれから該処理済ＯＦＤＭ信号を生成する選択ダイバーシティモードのいずれか一方を選択して切り換える制御手段と、
を有する、ことを特徴とする放送受信装置。
【請求項２】
前記ベースバンド信号処理手段が、
該複数のＯＦＤＭ信号からそれぞれ直交復調して複数の直交復調信号を生成する複数の直交復調部と、
該複数のＯＦＤＭ信号のそれぞれについて、生成された複数の直交復調信号を積算してベースバンド信号を生成する積算部と、
該複数のＯＦＤＭ信号のそれぞれに対応した複数のベースバンド信号を加算して合成ベースバンド信号を生成する加算部と、
該合成ベースバンド信号を直交変調して処理済ＯＦＤＭ信号を生成する直交変調部と、
を有する、ことを特徴とする請求項１に記載の放送受信装置。
【請求項３】
該選択ダイバーシティモードが選択されている時は、前記制御手段は、選択されないベースバンド信号に対する重み付け係数を０として該複数のベースバンド信号の加算が行われるよう、前記加算部を制御する、ことを特徴とする請求項２に記載の放送受信装置。
【請求項４】
前記制御手段が、前記ＯＦＤＭ復調手段によって復調された信号に応じて、前記制御手段が合成ダイバーシティモードと選択ダイバーシティモードのいずれを選択するかを判定する、判定部をさらに有する、ことを特徴とする請求項１から３のいずれかに記載の放送受信装置。
【請求項５】
前記制御手段が、前記ＯＦＤＭ復調手段によって復調された信号から受信状況のパラメータを抽出するパラメータ抽出部と、放送装置自身の移動速度を検出する速度検出部と、をさらに有し、
前記判定部は、前記パラメータ抽出部によって抽出されたパラメータと、前記速度検出部によって検出された速度とから、前記制御手段が合成ダイバーシティモードと選択ダイバーシティモードのいずれを選択するかを判定する、ことを特徴とする請求項４に記載の放送受信装置。
【請求項６】
前記パラメータ抽出部は、前記ＯＦＤＭ復調手段の出力からパイロット信号を抽出し、前記パイロット信号に逆離散フーリエ変換を行って遅延プロファイルを算出し、この遅延プロファイルから該パラメータを抽出する、ことを特徴とする請求項５に記載の放送受信装置。
【請求項７】
該パラメータは、同一チャンネル干渉している伝播波のパス数、各伝播波の遅延時間、および各伝播波のＤ／Ｕ比を含む、ことを特徴とする請求項６に記載の放送受信装置。
【請求項８】
前記判定部は、該パラメータと該速度を用いて、合成ダイバーシティモードと選択ダイバーシティモードそれぞれについての推定受信感度を算出し、両者を比較することによって前記制御手段が合成ダイバーシティモードと選択ダイバーシティモードのいずれを選択するかを判定する、ことを特徴とする請求項７に記載の放送受信装置。
【請求項９】
前記判定部による判定結果に基づいて、該ベースバンド信号を合成する際の重み付け係数および相関係数を演算する演算部をさらに有する、ことを特徴とする請求項４から８のいずれかに記載の放送受信装置。
【請求項１０】
前記演算部は、該重み付け係数および該相関関数を前記積算部に出力する、ことを特徴とする請求項９に記載の放送受信装置。
【請求項１１】
前記ＯＦＤＭ復調手段がビットエラーレートを出力する、ことを特徴する請求項１から１０のいずれかに記載の放送受信装置。
【発明の詳細な説明】
【技術分野】
【０００１】
本発明は、ＯＦＤＭ（直交周波数分割）方式によって送信された放送信号を受信してこれを復号する放送受信装置に関する。
【背景技術】
【０００２】
近年、従来のアナログ放送に代わってデジタル放送が利用されつつある。特に、時分割方式のようにビットレートを大きくすることなく、大量のデータを限られた周波数帯域内で送信可能な、ＯＦＤＭ方式を用いたデジタル放送が注目されている。
【０００３】
ＯＦＤＭ方式とは、データを互いに直交する複数のサブキャリアとして送信することを特徴とするものである。各サブキャリアは互いに直交しているため、サブキャリア同士の周波数帯が一部重なっていてもよい。この特性を利用することによって、ＯＦＤＭ方式のデジタル放送は、大量のデジタルデータを効率よく配信可能となっている。
【０００４】
このＯＦＤＭ方式のデジタル放送用の受信装置においては、信号の減衰を防ぐために、指向性の異なる複数のアンテナを用いて信号品質を向上させる、いわゆるダイバーシティシステムを採用する場合がある。特に自動車等の移動体でＯＦＤＭ方式のデジタル放送を受信する場合は、ダイバーシティシステムの使用が有効である。
【０００５】
ダイバーシティシステムとしては、複数のアンテナから受信した信号のうち、最も劣化の少ないものを採用する選択ダイバーシティ方式によるものと、複数のアンテナから受信した信号を合成する合成ダイバーシティ方式によるものとがある。例えば、特許文献１に開示されている放送受信装置においては、選択ダイバーシティ方式を採用したダイバーシティシステムと、合成ダイバーシティ方式を採用したダイバーシティシステムのいずれか一方が組み込まれている。
【特許文献１】特開２００２−２３２３８５
【０００６】
選択ダイバーシティ方式と合成ダイバーシティ方式とを比較した場合、一般的には合成ダイバーシティ方式の方が高い信号レベルが得られる。しかしながら、電波の反射によって特定のアンテナが受信した信号に遅延が生じた場合には、信号の劣化が起こりうる。特に放送受信装置が都市部にある時は、様々な長さの遅延を伴う信号が複数のアンテナから受信されてしまうため、合成ダイバーシティ方式を信号の遅延による信号劣化が起こりやすい。従って、放送受信装置が自動車などの移動体に設置される場合は、「選択ダイバーシティ方式を採用した場合、郊外に移動した時に信号劣化が起こりやすい」「合成ダイバーシティ方式を採用した場合、都市部に移動した時に信号劣化が起こりやすい」という問題があった。このため、従来の放送受信装置においては、アンテナの感度そのものを増加させることなく、受信エリアの拡大と、都市部での高速走行における受信性能の改善とを同時に実現することができなかった。
【発明の開示】
【発明が解決しようとする課題】
【０００７】
本発明は上記の問題に鑑み、特に車載型の放送受信装置において、受信エリアの拡大と、都市部での高速走行における受信性能の改善とを、容易に実現することができる放送受信装置を提供することを目的とする。
【課題を解決するための手段】
【０００８】
上記の目的を達成するため、本発明の放送受信装置は、外部からのＯＦＤＭ放送波を受信してＯＦＤＭ信号を生成する複数の受信手段と、複数の受信手段によって受信された複数のＯＦＤＭ信号を処理して処理済ＯＦＤＭ信号を生成するベースバンド信号処理手段と、処理済ＯＦＤＭ信号を復調するＯＦＤＭ復調手段とを有する。さらに、本発明の放送受信装置は、ベースバンド信号処理手段において合成ダイバーシティ方式によって処理済ＯＦＤＭ信号を生成する合成ダイバーシティモードと、選択ダイバーシティ方式によって処理済ＯＦＤＭ信号を生成する選択ダイバーシティモードのいずれか一方を選択して切り換える制御手段を有する。
【０００９】
このような構成とすることにより、合成ダイバーシティ方式の方がより高い受信レベルを得られる場合は合成ダイバーシティモードを、また選択ダイバーシティ方式の方がより高い受信レベルを得られる場合は選択ダイバーシティモードを、それぞれ適宜選択して利用可能となる。すなわち、本発明によれば、放送受信装置周囲の環境に応じて適切なダイバーシティ方式が選択されるため、特に、放送受信装置が移動体に載置されている場合のような、周囲環境が変動しやすい状況において、より劣化の少ない信号を得ることができる。
【００１０】
また、ベースバンド信号処理手段が、複数のＯＦＤＭ信号からそれぞれ直交復調して複数の直交復調信号を生成する複数の直交復調部と、複数のＯＦＤＭ信号のそれぞれについて生成された複数の直交復調信号を積算してベースバンド信号を生成する積算部と、複数のＯＦＤＭ信号のそれぞれに対応した複数のベースバンド信号を加算して合成ベースバンド信号を生成する加算部と、合成ベースバンド信号を直交変調して処理済ＯＦＤＭ信号を生成する直交変調部と、を有する構成としてもよい。ここで、選択ダイバーシティモードが選択されている時は、制御手段は、例えば選択されないベースバンド信号に対する重み付け係数を０として複数のベースバンド信号の加算が行われるよう、加算部を制御する。
【００１１】
また、制御手段が、ＯＦＤＭ復調手段によって復調された信号に応じて、制御手段が合成ダイバーシティモードと選択ダイバーシティモードのいずれを選択するかを判定する、判定部をさらに有していてもよい。このような構成とすると、合成ダイバーシティ方式と選択ダイバーシティ方式とを自動的に切換可能となる。判別のために、ＯＦＤＭ復調手段によって復調された信号から受信状況のパラメータを抽出するパラメータ抽出部と、放送装置自身の移動速度を検出する速度検出部と、を使用する。すなわち、判定部は、パラメータ抽出部によって抽出されたパラメータと、速度検出部によって検出された速度とから、制御手段が合成ダイバーシティモードと選択ダイバーシティモードのいずれを選択するかを判定する。
【００１２】
また、パラメータ抽出部は、例えばＯＦＤＭ復調手段の出力からパイロット信号を抽出し、パイロット信号に逆離散フーリエ変換を行って遅延プロファイルを算出し、この遅延プロファイルからパラメータを抽出する。
【００１３】
また、このパラメータとしては、同一チャンネル干渉している伝播波のパス数、各伝播波の遅延時間、および各伝播波のＤ／Ｕ比等が考えられる。判定部は、これらのパラメータと該速度を用いて、合成ダイバーシティモードと選択ダイバーシティモードそれぞれについての推定受信感度を算出し、両者を比較することによって制御手段が合成ダイバーシティモードと選択ダイバーシティモードのいずれを選択するかを判定する。
【００１４】
また、判定部による判定結果に基づいて、該ベースバンド信号を合成する際の重み付け係数および相関係数を演算する演算部をさらに有する構成としてもよい。この時、演算部は、例えば重み付け係数および相関関数を積算部に出力する。
【００１５】
また、ＯＦＤＭ復調手段がビットエラーレートを出力する構成としてもよい。
【発明の効果】
【００１６】
以上のように、本発明の放送受信装置によれば、合成ダイバーシティモードと、選択ダイバーシティモードとを適宜切り換えて利用可能となる。特に、自動車等の移動体に放送受信装置を設置して利用する場合には、受信ＳＮ比改善による受信エリアの拡大や、都市部での高速走行における受信性能の改善の双方とが期待できるようになる。
【発明を実施するための最良の形態】
【００１７】
以下、本発明の一実施形態につき、図面を用いて詳細に説明する。図１は、本発明の実施形態による放送受信装置の構成を示すブロック図である。本実施形態の放送受信装置１は、自動車等の移動体に設置されるものである。
【００１８】
本実施形態の放送受信装置１は、それぞれ指向性の異なるＮ個のアンテナ１２を有する。アンテナ１２が受信した信号のそれぞれは、Ａ／Ｄコンバータ１４によって離散化されたのちに、別個にベースバンド信号処理部２０に入力される。
【００１９】
ベースバンド信号処理部２０は、入力された複数の信号を処理してＯＦＤＭ信号を生成し、これを直交変調してＯＦＤＭ信号を生成し、これをＯＦＤＭ復調器３０に送信する。ＯＦＤＭ復調器３０は、受信したＯＦＤＭ信号を復調して所望の映像・音声データを取得して、これをデータ処理部４２に送信する。データ処理部４２は、ＯＦＤＭ復調器３０
から得たデータを処理して、モニタやスピーカ等に出力する。かくして放送受信装置１の使用者は、アンテナ１２にて受信した信号を、映像及び／または音声として視聴できる。
【００２０】
また、ＯＦＤＭ復調器３０の出力は制御ブロック５０に送られる。制御ブロック５０は、ベースバンド信号処理部において合成ダイバーシティと選択ダイバーシティのいずれの処理を行うかどうかを判定すると共に、合成ダイバーシティが選択された時に使用する相関値と重み付け係数とを演算する。この重み付け係数はベースバンド信号処理部２０に送られ、複数のアンテナ１２が受信した信号を合成する際の演算に利用される。この重み付け係数を用いて、信号は同相合成（最大比合成）されるようになっている。
【００２１】
また、制御ブロック５０には、放送受信装置１が設置されている移動体の速度を検出する速度計（後述）が内蔵されており、制御ブロック５０は、速度計およびＯＦＤＭ復調器３０の出力を解析することによって合成ダイバーシティと選択ダイバーシティのいずれの処理を行うかどうかを判定する。
【００２２】
以上の構成によって、本実施形態の放送受信装置１は、ベースバンド信号処理部２０が合成ダイバーシティ方式と選択ダイバーシティ方式のうち、より受信環境に適したダイバーシティ方式を自動的に選択し、その方式に基づいて高品位な（劣化の少ない）ＯＦＤＭ信号を出力する。この結果として、放送受信装置１の使用者は、放送電波の電界強度が小さい状態で放送を受信する場合であっても、できる限り高い品質で画像及び／または音声を視聴可能である。
【００２３】
また、ＯＦＤＭ復調器３０は入力されたＯＦＤＭ信号のビットエラーレートを計測し、出力している。
【００２４】
ベースバンド処理部２０の構成につき、以下説明する。図２は、本実施形態のベースバンド処理部２０のブロック図である。ベースバンド処理部２０は、アンテナ１２の各々に対応したＮ個の直交復調部２１と、直交復調部２１の各々に対応したＮ個の積算部２２と、加算部２３Ｉ、２３Ｑと、直交変調部２４と、を有する。
【００２５】
Ａ／Ｄコンバータ１４が出力した信号は、それぞれ対応する直交復調部２１に入力される。直交復調部２１の各々は、信号を直交復調してベースバンド信号を生成する。各直交復調部２１から出力されるベースバンド信号は複素数で記述される。ここで、ｎ番目（ｎ＝１，２，・・・，Ｎ）の直交復調部２１から出力されるベースバンド信号の実数部をＸｎＩ（ｔ）、虚数部をＸｎＱ（ｔ）とする。
【００２６】
次いで、ベースバンド信号ＸｎＩ（ｔ）、ＸｎＱ（ｔ）は、それぞれ対応する積算部２２に送られる。積算部２２は、このベースバンド信号（ＸｎＩ（ｔ）＋ｊＸｎＱ（ｔ））に、制御ブロック５０から各積算部２２に送信されている重み付け係数Ｗｎ＝ＷｎＩ＋ｊＷｎＱを掛け、その積算結果の実数部（ＷｎＩ・ＸｎＩ（ｔ）−ＷｎＱ・ＸｎＱ（ｔ））、虚数部（ＷｎＱ・ＸｎＩ（ｔ）＋ＷｎＩ・ＸｎＱ（ｔ））を、加算部２３Ｉ、２３Ｑにそれぞれ送る。
【００２７】
加算部２３Ｉ、２３Ｑは、Ｎ個の積算部２２から送信された積算結果を数１に基づいて加算し、加算結果Ｙ（ｔ）＝ＹＩ（ｔ）＋ｊＹＱ（ｔ）を直交変調部２４に送信する。
【００２８】
【数１】
2007013558.tif 000003
【００２９】
直交変調部２４は、加算結果Ｙ（ｔ）を直交変調してＯＦＤＭ信号を生成し、これをＯＦＤＭ復調器３０に送信する。
【００３０】
以上のように、ベースバンド信号処理部２０においては、Ａ／Ｄコンバータ１４の各々から出力された信号が一端復調され、重み付け係数Ｗｎによって重み付けされた上でこれらが互いに加算され、次いでこの加算結果が再度変調されてＯＦＤＭ復調器３０に送信される。すなわち、複数のアンテナ１２から受信された信号が合成されて出力される、合成ダイバーシティがこのベースバンド処理部２０にて行われていることになる。
【００３１】
重み付け係数Ｗｎは、制御ブロック５０によって算出される。制御ブロックの構成に付き、以下に説明する。
【００３２】
図３は、制御ブロック５０のブロック図である。制御ブロック５０は、パイロット信号抽出部５１と、逆離散フーリエ変換回路５２と、特徴抽出部５３と、速度計５４と、判定部５５と、演算部５６を備える。
【００３３】
パイロット信号抽出部５１は、ＯＦＤＭ復調器３０の出力からパイロット信号を抽出して逆離散フーリエ変換回路５２に出力する。逆離散フーリエ変換回路５２は、パイロット信号を逆離散フーリエ変換して、遅延プロファイルを算出する。この遅延プロファイルは、特徴抽出部５３に送られる。特徴抽出部５３は、この遅延プロファイルから同一チャンネル干渉している伝播波のパス数Ｍ、遅延時間τｉ（ｉ＝０，１，２，・・・，Ｍ−１）、Ｄ／Ｕ比Ｒｉ等の特徴パラメータを抽出する。これらの特徴パラメータは、判定部５５に送られる。
【００３４】
また、速度計５４は、放送受信装置１が設置されている移動体の速度Ｖを検出する。この速度Ｖもまた、判定部５５に送信される。
【００３５】
判定部５５は、特徴パラメータおよび速度Ｖを用いて、各アンテナ１２が受信した信号を合成した場合の推定受信感度Ｆｃ［ｄｂｍ］と、特定のアンテナ１２が受信した信号による推定受信感度Ｆｓ［ｄｂｍ］を演算する。Ｆｃ、Ｆｓは共に、伝播波のパス数Ｍ、遅延時間τｉ（ｉ＝０，１，２，・・・，Ｍ−１）、Ｄ／Ｕ比Ｒｉ、および速度Ｖを引数とする関数で記述されており、その関数は実験によって求められる。具体的には、図１に示した放送受信装置１において、アンテナ１２の代わりに、特定の電波受信状態／移動体の走行状態をシミュレートした信号をＡ／Ｄコンバータ１４に入力するフェージング・シュミレータを放送受信装置１に接続し、その時に得られる特徴パラメータと、ＯＦＤＭ復調器３０から出力されるビットエラーレートから、多変量解析によって関数Ｆｃ、Ｆｓを算出する。
【００３６】
ここで、Ｆｓ＞Ｆｃであれば、合成ダイバーシティを行ったほうが劣化の少ない信号が得られるものと判定部５５は判断する。また、Ｆｓ＜Ｆｃであれば、選択ダイバーシティを行ったほうが劣化の少ない信号が得られるものと判定部５５は判断する。この判定結果は演算部５６に送信される。
【００３７】
演算部５６は、判定部５５の判断結果に基づいて、重み付け係数Ｗｎを算出する。この重み付け係数の算出手順に付き、以下に説明する。
【００３８】
まず、重み付け係数の算出に先立って、以下の数２を用いて相関値ΦＹ，Ｘｎを算出する。なお、図２に示されているように、ベースバンド信号処理部２０内で生成されているベースバンド信号（ＸｎＩ（ｔ）＋ｊＸｎＱ（ｔ））および加算結果Ｙ（ｔ）は、制御ブロック５０に送られている。このベースバンド信号および加算結果を数２に代入することによって相関値ΦＹ，Ｘｎは算出される。
【００３９】
【数２】
2007013558.tif 000004
【００４０】
なお、上記数２において、Ｔは標本数である。
【００４１】
合成ダイバーシティを行ったほうが劣化の少ない信号が得られるものと判定部５５が判断した場合は、重み付け係数Ｗｎは以下の数３によって算出される。
【００４２】
【数３】
2007013558.tif 000005
【００４３】
一方、選択ダイバーシティを行ったほうが劣化の少ない信号が得られるものと判定部５５が判断した場合は、数４によって重み付け係数Ｗｎが算出される。
【００４４】
【数４】
2007013558.tif 000006
【００４５】
数４において算出された重み付け係数Ｗｎをベースバンド信号（ＸｎＩ（ｔ）＋ｊＸｎＱ（ｔ））に掛けた場合、加算結果Ｙ（ｔ）は、相関関数ΦＹ，Ｘｎが最も大きくなるようなベースバンド信号のみが抽出され、他のベースバンド信号が破棄された状態（すなわち、相関関数ΦＹ，Ｘｎが最も大きくなるベースバンド信号のみが選択される選択ダイバーシティ）と等価となる。
【図面の簡単な説明】
【００４６】
【図１】本発明の実施形態による放送受信装置の構成を示すブロック図である。
【図２】本発明の実施形態の放送受信装置のベースバンド処理部のブロック図である。
【図３】本発明の実施形態の放送受信装置の制御ブロックのブロック図である。
【符号の説明】
【００４７】
１            放送受信装置
１２            アンテナ
１４            Ａ／Ｄコンバータ
２０            ベースバンド信号処理部
２１            直交復調部
２２            積算部
２３Ｉ、２３Ｑ  加算部
２４            直交変調部
３０            ＯＦＤＭ復調器
４２            データ処理部
５０            制御ブロック
５１            パイロット信号抽出部
５２            逆離散フーリエ変換回路
５３            特徴抽出部
５４            速度計
５５            判定部
５６            演算部
【図１】
2007013558.tif 000007
【図２】
2007013558.tif 000008
【図３】
2007013558.tif 000009